(57)【要約】【課題】主スクリードに対する伸縮スクリードの十分な伸縮ストロークを得ることができる舗装用建設機械のスクリード装置を提供する。【解決手段】一側および他側の支持機構24，25は、主スクリード21に対して一側および他側の伸縮スクリード22，23を、主スクリード21の一側端および他側端より拡幅方向へそれぞれ突出可能に支持する。一側および他側の支持機構24，25は、主スクリード21側の一側部および他側部の拡幅方向定位置に設けた保持体33に、複数本の主側ガイドシャフト41を全長にわたって拡幅方向摺動自在に嵌合する。複数本の主側ガイドシャフト41と、外端側を開口した中空状の複数本の伸縮側ガイドシャフト43とを平行かつ一体に設け、複数本の伸縮側ガイドシャフト43の外端側から内部にそれぞれ拡幅方向摺動自在に嵌合したテレスコープ型ロッド48，49に、一側および他側の伸縮スクリード22，23を一体化する。【選択図】図１
2008291444.tif 000002
【特許請求の範囲】
【請求項１】
主スクリードと、
主スクリードの一側端より拡幅方向へ移動可能に設けられた一側の伸縮スクリードと、
主スクリードの他側端より拡幅方向へ移動可能に設けられた他側の伸縮スクリードと、
主スクリードの一側部および他側部と一側および他側の伸縮スクリードとの間にあって、主スクリードに対して一側および他側の伸縮スクリードを、主スクリードの一側端および他側端より拡幅方向へそれぞれ突出可能に支持した一側および他側の支持機構とを具備し、
一側および他側の支持機構は、
主スクリード側の一側部および他側部の拡幅方向定位置に設けられた保持体と、
保持体に全長にわたって拡幅方向摺動自在に嵌合された複数本の主側ガイドシャフトと、
複数本の主側ガイドシャフトと平行かつ一体に設けられた外端側を開口した中空状の複数本の伸縮側ガイドシャフトと、
複数本の伸縮側ガイドシャフトの外端側から内部に拡幅方向摺動自在に嵌合されるとともに一側および他側の伸縮スクリードと一体化されたテレスコープ型ロッドと
をそれぞれ具備したことを特徴とする舗装用建設機械のスクリード装置。
【請求項２】
一側および他側の支持機構は、
伸縮スクリードと一体に設けられ複数本の伸縮側ガイドシャフトの外面に拡幅方向摺動自在に嵌合された摺動体をそれぞれ備えた
ことを特徴とする請求項１記載の舗装用建設機械のスクリード装置。
【発明の詳細な説明】
【技術分野】
【０００１】
本発明は、主スクリードより拡幅方向へ伸縮スクリードが移動可能に設けられた舗装用建設機械のスクリード装置に関する。
【背景技術】
【０００２】
車体により牽引される中央の主スクリードと、主スクリードの一側端より拡幅方向へ移動可能に設けられた一側の伸縮スクリードと、主スクリードの他側端より拡幅方向へ移動可能に設けられた他側の伸縮スクリードと、主スクリードの一側部および他側部と一側および他側の伸縮スクリードとの間にあって一側および他側の伸縮スクリードを支持する一側および他側の支持機構とを備えた舗装用建設機械のスクリード装置が知られている（例えば、特許文献１参照）。
【０００３】
一側および他側の支持機構は、主スクリード側の支持部材に２本の主側ガイドシャフトが拡幅方向摺動自在に嵌合され、これらの主側ガイドシャフトと平行かつ一体に設けられた２本の中空筒状のサポート内に、伸縮スクリードと一体に設けられた伸縮側ガイドシャフトが拡幅方向摺動自在に挿通された構造を備えている。
【特許文献１】特許第３３８３９０８号公報（第４頁、図１−２）
【発明の開示】
【発明が解決しようとする課題】
【０００４】
上記従来のスクリード装置は、伸縮スクリードと一体の伸縮側ガイドシャフトが拡幅方向に移動する際、中空筒状のサポートの全長による規制を受け、伸縮スクリードの一端部および他端部がサポートの内部に入ることができないので、伸縮スクリードの十分な伸縮ストロークを得ることができない。
【０００５】
本発明は、このような点に鑑みなされたもので、主スクリードに対する伸縮スクリードの十分な伸縮ストロークを得ることができる舗装用建設機械のスクリード装置を提供することを目的とする。
【課題を解決するための手段】
【０００６】
請求項１に記載された発明は、主スクリードと、主スクリードの一側端より拡幅方向へ移動可能に設けられた一側の伸縮スクリードと、主スクリードの他側端より拡幅方向へ移動可能に設けられた他側の伸縮スクリードと、主スクリードの一側部および他側部と一側および他側の伸縮スクリードとの間にあって、主スクリードに対して一側および他側の伸縮スクリードを、主スクリードの一側端および他側端より拡幅方向へそれぞれ突出可能に支持した一側および他側の支持機構とを具備し、一側および他側の支持機構は、主スクリード側の一側部および他側部の拡幅方向定位置に設けられた保持体と、保持体に全長にわたって拡幅方向摺動自在に嵌合された複数本の主側ガイドシャフトと、複数本の主側ガイドシャフトと平行かつ一体に設けられた外端側を開口した中空状の複数本の伸縮側ガイドシャフトと、複数本の伸縮側ガイドシャフトの外端側から内部に拡幅方向摺動自在に嵌合されるとともに一側および他側の伸縮スクリードと一体化されたテレスコープ型ロッドとをそれぞれ具備した舗装用建設機械のスクリード装置である。
【０００７】
請求項２に記載された発明は、請求項１記載の舗装用建設機械のスクリード装置における一側および他側の支持機構が、伸縮スクリードと一体に設けられ複数本の伸縮側ガイドシャフトの外面に拡幅方向摺動自在に嵌合された摺動体をそれぞれ備えたものである。
【発明の効果】
【０００８】
請求項１に記載された発明によれば、一側および他側の支持機構は、主スクリード側の保持体に複数本の主側ガイドシャフトを全長にわたって拡幅方向摺動自在に嵌合するとともに、これらの主側ガイドシャフトと平行かつ一体に設けられた外端側を開口した中空状の複数本の伸縮側ガイドシャフトの外端側から内部に、一側および他側の伸縮スクリードと一体化されたテレスコープ型ロッドをそれぞれ拡幅方向摺動自在に嵌合したので、これらの伸縮スクリードの伸縮ストロークを従来より大きくすることができる。
【０００９】
請求項２に記載された発明によれば、中空状の伸縮側ガイドシャフトの内部に嵌合されたテレスコープ型ロッドと、伸縮側ガイドシャフトの外面に嵌合された摺動体とによって伸縮スクリードを２重に案内するので、支持機構における伸縮スクリード支持構造部の剛性を向上できる。
【発明を実施するための最良の形態】
【００１０】
以下、本発明を、図１乃至図８に示された一実施の形態、図９乃至図１２に示された他の実施の形態を参照しながら詳細に説明する。
【００１１】
図１および図２に示されるように、舗装用建設機械としてのアスファルトフィニッシャ11は、車体12の前部に、ダンプトラックから合材の供給を受けるホッパ13が設けられ、このホッパ13の下部から車体12の後部にわたって合材を移送するフィーダコンベア装置14が設けられている。車体12の後部には、合材を幅方向に拡散させる螺旋翼を備えたスクリューコンベア装置15が設けられ、このスクリューコンベア装置15の後方には、車体12に牽引手段16を介して連結された合材締め固め用のスクリード装置17が設けられている。
【００１２】
そして、ホッパ13からフィーダコンベア装置14により車体12の後部に移送された合材は、スクリューコンベア装置15の螺旋翼によりスクリード幅方向に拡散され、スクリード装置17の加振作用によって所定の道路幅員と舗装厚に成形される。
【００１３】
スクリード装置17は、車体12により牽引される中央の主スクリード21に対し、一側の伸縮スクリード22が主スクリード21の一側端より拡幅方向へ移動可能に設けられ、他側の伸縮スクリード23が主スクリード21の他側端より拡幅方向へ移動可能に設けられている。さらに、主スクリード21の一側部および他側部と、一側および他側の伸縮スクリード22，23との間には、一側および他側の伸縮スクリード22，23をそれぞれ幅方向へ移動可能に支持した一側の支持機構24および他側の支持機構25が設けられている。主スクリード21および伸縮スクリード22，23には、図示しない加振機構が内蔵されている。
【００１４】
一側の伸縮スクリード22は、主スクリード21の進行方向後側にて、主スクリード21の一側端より拡幅方向へ移動可能に、一側の支持機構24を介し近接配置され、他側の伸縮スクリード23は、一側の伸縮スクリード22より進行方向後側にて、主スクリード21の他側端より拡幅方向へ移動可能に、他側の支持機構25を介し配置されている。
【００１５】
主スクリード21には、図３および図４に示されるように車体側に偏った位置に取付枠体26が一体に設けられ、伸縮スクリード22側に偏った位置に凹部27がそれぞれ形成されている。
【００１６】
一側の支持機構24には、主スクリード21の取付枠体26において一側部に、主スクリード21に対し一側の伸縮スクリード22を高さ方向に移動調整する一側の段差調整部28が設置されている。
【００１７】
他側の支持機構25には、主スクリード21の取付枠体26において他側部に、主スクリード21に一体化された箱形構造の支持体29が取付けられ、この支持体29を介して、他側の伸縮スクリード23を高さ方向に移動調整する他側の段差調整部30が、他側の伸縮スクリード23側に設置されている。支持体29は、主スクリード21の取付枠体26に溶接などで一体化されたメインフレームの構造物である。
【００１８】
一側および他側の段差調整部28，30は、主スクリード21における一側部および他側部の拡幅方向定位置に設けられており、それらの構造は、図６に示されるように、コ字形の取付枠31に１対の高さ方向ガイドシャフト32が平行に取付けられ、これらの高さ方向ガイドシャフト32に保持体33が高さ方向摺動自在に嵌合されている。高さ方向ガイドシャフト32は、２本を１組として用いることで、軸周りの回転に抗する剛性、曲げに対する剛性を確保する。
【００１９】
保持体33は、本体プレート34の一側上下部に、取付枠31内で上下方向に移動可能な１対の摺動プレート35が溶接されるとともに、他側に左右１対の摺動プレート36が溶接され、摺動プレート35に高さ方向ガイドシャフト32と嵌合する摺動穴37が設けられ、摺動プレート36に摺動穴38が設けられている。
【００２０】
図３乃至図５に示されるように、一側および他側の支持機構24，25は、主スクリード21側の部材としての保持体33に全長にわたって拡幅方向摺動自在に嵌合された上下方向配置の複数本（２本）の主側ガイドシャフト41と、一側および他側の伸縮スクリード22，23の中央部寄り上に一体化された摺動体42が拡幅方向摺動自在に嵌合された上下方向配置の複数本（２本）の伸縮側ガイドシャフト43と、これらの主側ガイドシャフト41および伸縮側ガイドシャフト43を平行に保持してこれらの一側端および他側端をそれぞれ一体化した一側および他側の側板44，45とを備えたボックス構造体46，47をそれぞれ有する。
【００２１】
摺動体42は、図５に示されるように伸縮スクリード22，23と一体化された１対の側板部42a，42aと、これらの側板部42a，42aの上端間を連結した上板部42bとにより、門形に形成し、摺動体42の剛性を確保する。
【００２２】
各伸縮側ガイドシャフト43は、側板45の一部を円形に刳り貫いた穴にそれぞれのシャフト端部を嵌着して、外端側を開口した中空状のシャフトであり、これらの各伸縮側ガイドシャフト43の外端側から内部に一側および他側のテレスコープ型ロッド48，49が拡幅方向摺動自在に嵌合され、これらの各テレスコープ型ロッド48，49の外端は、外側板50により一側および他側の伸縮スクリード22，23と一体化されている。
【００２３】
要するに、一側および他側の支持機構24，25は、主スクリード21側の一側部および他側部の拡幅方向定位置に保持体33が設けられ、この保持体33に、ボックス構造体46，47の２本の主側ガイドシャフト41が全長にわたって拡幅方向摺動自在に嵌合され、さらに、ボックス構造体46，47の２本の伸縮側ガイドシャフト43に、一側および他側の伸縮スクリード22，23と一体の摺動体42が、各伸縮側ガイドシャフト43の外端部まで拡幅方向摺動自在に嵌合されるとともに、一側および他側のテレスコープ型ロッド48，49が各伸縮側ガイドシャフト43内にその外端開口より拡幅方向摺動自在に嵌合されている。
【００２４】
一側および他側の支持機構24，25は、主スクリード21に対し段差調整部28，30の保持体33を高さ方向に移動する駆動手段（図示せず）と、段差調整部28，30の保持体33に対しボックス構造体46，47を拡幅方向に移動する駆動手段（図示せず）と、ボックス構造体46，47に対し一側および他側の伸縮スクリード22，23を拡幅方向に移動する駆動手段（図示せず）とをそれぞれ備えている。これらの駆動手段としては、油圧シリンダまたは螺進式送り機構などを用いるが、図示は省略する。
【００２５】
次に、この実施の形態の作用を説明する。
【００２６】
図７（ａ）に示されるように、非作業時は、一側および他側のボックス構造体46，47を、それぞれ主スクリード21の範囲内に収納し、さらに、一側および他側の伸縮スクリード22，23をボックス構造体46，47の範囲内に収納する。このとき、一側および他側のテレスコープ型ロッド48，49は、各伸縮側ガイドシャフト43内に収納され、伸縮スクリード22，23の外側板50は、ボックス構造体46，47に密着している。
【００２７】
作業時は、先ず、図７（ｂ）に示されるように一側および他側の段差調整部28，30の保持体33に対しボックス構造体46，47を拡幅方向に移動し、さらに、図７（ｃ）に示されるように、ボックス構造体46，47に対し一側および他側の伸縮スクリード22，23を拡幅方向移動する。このとき、一側および他側のテレスコープ型ロッド48，49は、各伸縮側ガイドシャフト43内から突出されるように伸長する。
【００２８】
伸縮スクリード収納時は、一側および他側の段差調整部28，30に対しボックス構造体46，47を中央に収納移動させながら、各テレスコープ型ロッド48，49を収縮移動させて、一側および他側のボックス構造体46，47内に各伸縮スクリード22，23を収納移動させる。
【００２９】
また、一側および他側の段差調整部28，30の取付枠31に対して、高さ方向ガイドシャフト32に沿って、保持体33を高さ方向に移動調整することで、主スクリード21に対する一側および他側の伸縮スクリード22，23の段差調整をする。
【００３０】
次に、この実施の形態の効果を説明する。
【００３１】
図８（ａ）に示されるように、一側および他側の支持機構24，25は、主スクリード21側の保持体33に複数本の主側ガイドシャフト41を全長にわたって拡幅方向摺動自在に嵌合するとともに、これらの主側ガイドシャフト41と平行かつ一体に設けられた外端側を開口した中空状の複数本の伸縮側ガイドシャフト43の外端側から内部に、一側および他側の伸縮スクリード22，23と一体化されたテレスコープ型ロッド48，49をそれぞれ拡幅方向摺動自在に嵌合したので、これらの伸縮スクリード22，23の伸縮ストロークを、図８（ｂ）に示された特許文献１に記載の従来例より大きくすることができる。
【００３２】
すなわち、主スクリード21の全長Ｌが同一であっても、一側および他側の伸縮スクリード22，23の最大伸長ストロークＬmax を、図８（ａ）に示された本発明に係るものは、図８（ｂ）に示された従来例より大きくすることができる。
【００３３】
さらに、中空状の伸縮側ガイドシャフト43の内部に嵌合されたテレスコープ型ロッド48，49と、伸縮側ガイドシャフト43の外面に嵌合された摺動体42とによって伸縮スクリード22，23を２重に案内するので、支持機構24，25における伸縮スクリード支持構造部の剛性を向上できる。
【００３４】
次に、図９乃至図１２に基づき、他の実施の形態を説明する。なお、図１乃至図７に示された実施の形態と同様の部分には、同一符号を付して、その説明を省略する。
【００３５】
ボックス構造体46，47は、一側および他側の側板44，45の上端間を上板部51，52により連結する。このような上板部51，52による連結構造で、ボックス構造体46，47の剛性をさらに向上できる。
【００３６】
さらに、摺動体42は、伸縮スクリード22，23と一体化された１対の側板部42a，42aと、これらの側板部42a，42aの上端間を連結した上板部42bとにより、門形に形成する。このように、摺動体42における１対の側板部42aの上端間を上板部42bにより連結したので、摺動体42の剛性を確保できる。
【００３７】
また、図１１および図１２には、ボックス構造体46，47に対して一側および他側の伸縮スクリード22，23を拡幅方向に移動する駆動手段としての油圧シリンダ53，54が例示されている。
【００３８】
そして、図１０に示されるように、非作業時は、一側および他側のボックス構造体46，47を、それぞれ主スクリード21の範囲内に収納し、さらに、一側および他側の伸縮スクリード22，23をボックス構造体46，47の範囲内に収納する。
【００３９】
作業時は、先ず、図１１に示されるように一側の段差調整部28および他側の段差調整部30に対しボックス構造体46，47を拡幅方向に移動し、さらに、図１２に示されるように、ボックス構造体46，47に対し一側および他側の伸縮スクリード22，23を拡幅方向移動する。このとき、一側および他側のテレスコープ型ロッド48，49は、各伸縮側ガイドシャフト43内から突出されるように伸長される。
【００４０】
伸縮スクリード収納時は、一側の段差調整部28および他側の段差調整部30に対しボックス構造体46，47を中央に収納移動させながら、これらのボックス構造体46，47内に一側および他側の伸縮スクリード22，23を収納移動させる。このとき、一側および他側のテレスコープ型ロッド48，49は、各伸縮側ガイドシャフト43内に収納される。
【００４１】
本発明は、アスファルトフィニッシャなどの舗装用建設機械に利用可能である。
【図面の簡単な説明】
【００４２】
【図１】本発明に係るスクリード装置を備えた舗装用建設機械の一実施の形態を示す平面図である。
【図２】同上舗装用建設機械の側面図である。
【図３】同上スクリード装置の一側面図である。
【図４】同上スクリード装置の他側面図である。
【図５】同上スクリード装置の背面図である。
【図６】同上スクリード装置の段差調整部を示す分解斜視図である。
【図７】（ａ）は同上スクリード装置の収納状態を示す平面図、（ｂ）は同上スクリード装置の半拡幅状態を示す平面図、（ｃ）は同上スクリード装置の最大拡幅状態を示す平面図である。
【図８】（ａ）は同上スクリード装置の最大拡幅状態を示す平面図、（ｂ）は従来のスクリード装置の最大拡幅状態を示す平面図である。
【図９】本発明に係るスクリード装置を備えた舗装用建設機械の他の実施の形態を示す平面図である。
【図１０】同上スクリード装置の収納状態を示す斜視図である。
【図１１】同上スクリード装置の半拡幅状態を示す斜視図である。
【図１２】同上スクリード装置の最大拡幅状態を示す斜視図である。
【符号の説明】
【００４３】
21    主スクリード
22，23    伸縮スクリード
24，25    支持機構
33    保持体
41    主側ガイドシャフト
42    摺動体
43    伸縮側ガイドシャフト
48，49    テレスコープ型ロッド
【図１】
2008291444.tif 000003
【図２】
2008291444.tif 000004
【図３】
2008291444.tif 000005
【図４】
2008291444.tif 000006
【図５】
2008291444.tif 000007
【図６】
2008291444.tif 000008
【図７】
2008291444.tif 000009
【図８】
2008291444.tif 000010
【図９】
2008291444.tif 000011
【図１０】
2008291444.tif 000012
【図１１】
2008291444.tif 000013
【図１２】
2008291444.tif 000014